(57)【要約】【課題】  通常の監視制御システムを利用して訓練を行なうことにより、省スペース化が可能となり、運転員に対する的確な訓練を行うことができる監視制御システムの訓練装置を提供すること【解決手段】  訓練内容の登録／設定、被制御装置の状態基本パターン設定、訓練問題設定のための入力を行なう入力部１５を有し、演算処理部１２は、訓練モードに切換えられると被制御装置との間の入出力データを切り離し、前記設定された訓練問題に基く前記操作部からの各種指令を被制御装置へは出力せずに、前記設定された訓練内容に対応してシミュレーションし、このシミュレーション結果による模擬状態信号を発生して表示部１３に状態表示させることを特徴とする。【選択図】図１
2006133266.tif 000002
【特許請求の範囲】
【請求項１】
被制御装置に対し、操作部から各種の指令を行い、演算処理部によりこの指令に基づく制御信号を被制御装置に出力すると共に、被制御装置から前記演算処理部に入力される各種の状態信号に基づき表示部に状態表示させる監視制御システムに適用される訓練装置であって、
訓練内容の登録／設定、被制御装置の状態基本パターン設定、訓練問題設定のための入力を行なう入力部を有し、
前記演算処理部は、訓練モードに切換えられると被制御装置との間の入出力回線を切り離し、前記設定された訓練問題に基く前記操作部からの各種指令に対応してシミュレーションを行い、このシミュレーション結果を表示部に表示させる訓練処理手段を有する
ことを特徴とする監視制御システムの訓練装置。
【請求項２】
演算処理部は、訓練モードにおいて、操作部からの各指令に対応するシミュレーション結果を、リプレイさせるリプレイ手段を有することを特徴とする請求項１に記載の監視制御システムの訓練装置。
【請求項３】
演算処理部は、訓練問題に対する模擬解答の登録手段を有し、設定された訓練問題に基く操作記録と前記模擬解答とを併記した訓練報告書を作成する訓練報告書作成手段を有することを特徴とする請求項１又は請求項２に記載の監視制御システムの訓練装置。
【請求項４】
演算処理部は、訓練問題として停電模擬訓練を設定した場合、訓練室の照明を消灯し、被常用照明を点灯させる照明模擬手段を有することを特徴とする請求項１乃至請求項３のいずれかに記載の監視制御システムの訓練装置。
【発明の詳細な説明】
【技術分野】
【０００１】
本発明は、被制御装置に対して各種の指令を行い、被制御装置から入力される各種の状態信号に基づき状態表示する監視制御システムに適用される訓練装置に関する。
【背景技術】
【０００２】
一般に、電力設備などの被制御装置（以下、電力系統として説明する）に対しては、例えば、系統遮断器の投入／遮断指令などの各種制御指令を出力すると共に、電力系統側で生じた状態変化（故障発生を含む）を入力して状態表示を行なう監視制御システムが設けられ、運転員により監視制御されている。
【０００３】
このような監視制御システムにおいて、運転員は、電力系統側で生じる各種の状況に対応して的確な運転操作を行わなければならず、各種状況に応じた訓練が必要となり、そのための提案も行なわれている（例えば、特許文献１参照）。
【０００４】
従来のこの種の技能訓練装置は、技能訓練専用の装置を用いて行っていたため、電力訓練装置用として専用の装置と訓練用の部屋が必要であった。
【特許文献１】特開２０００−１２２５１９号公報
【発明の開示】
【発明が解決しようとする課題】
【０００５】
しかしながら、訓練専用の装置や部屋を要することは、大掛かりな設備を要することなり、省スペース化の面で課題があった。
【０００６】
本発明の目的は、通常の監視制御システムを利用して訓練を行なうことにより、省スペース化が可能となり、的確な訓練を行うことができる監視制御システムの訓練装置を提供することにある。
【課題を解決するための手段】
【０００７】
本発明による監視制御システムの訓練装置は、被制御装置に対し、操作部から各種の指令を行い、演算処理部によりこの指令に基づく制御信号を被制御装置に出力すると共に、被制御装置から前記演算処理部に入力される各種の状態信号に基づき表示部に状態表示させる監視制御システムに適用される訓練装置であって、訓練内容の登録／設定、被制御装置の状態基本パターン設定、訓練問題設定のための入力を行なう入力部を有し、前記演算処理部は、訓練モードに切換えられると被制御装置との間の入出力回線を切り離し、前記設定された訓練問題に基く前記操作部からの各種指令に対応してシミュレーションし、このシミュレーション結果を発生して表示部に表示させることを特徴とする。
【０００８】
また、本発明では、演算処理装置は、訓練モードにおいて、操作部からの各指令に対応するシミュレーション結果を、リプレイさせるリプレイ手段を有する。
【０００９】
また、本発明では、演算処理部は、訓練問題に対する模擬解答の登録手段を有し、設定された訓練問題に基く操作記録と前記模擬解答とを併記した訓練報告書を作成する訓練報告書作成手段を有する。
【００１０】
さらに、本発明では、演算処理部は、訓練問題として停電模擬訓練を設定した場合、訓練室の照明を消灯し、被常用照明を点灯させる照明模擬手段を有する。
【発明の効果】
【００１１】
本発明によれば、被制御装置に対する監視制御システムを利用して、運転員に対する訓練が可能となったので、通常運用に支障を与えることなく、かつ省スペースで的確な訓練を行うことができる。
【発明を実施するための最良の形態】
【００１２】
以下、本発明による監視制御システムの訓練装置の一実施の形態について、図面を用いて詳細に説明する。
【００１３】
図１はこの実施の形態における訓練装置を示しており、操作部１１、演算処理部１２、表示部１３、印字部１４、入力部１５により構成される。操作部１１は、実際の運用監視に使用している操作端末であり、訓練操作にも用いられる。入力部１５は、訓練内容の登録／設定、電源基本パターンの設定、訓練問題の設定、訓練履歴の印刷指令、リプレイ操作、模範解答登録等を行う。演算処理部１２では、入力部１５での設定に対しての処理を行い、表示部１３へ表示指令を出す。また、操作部１１での操作に対しても同様に処理を行い、表示部１３へ表示指令を出す。表示部１３は、演算処理結果を表示する。印字部１４は、個人別訓練履歴などの印刷を行う。
【００１４】
この訓練装置は、図示しない被制御装置（例えば、電力系統とする）の監視制御システムを利用している。すなわち、図示しない電力系統に対し、操作部１１から各種の指令を行い、演算処理部１２によりこの指令に基づく制御信号を電力系統側に出力する。また、この演算処理部１２は、電力装置側から入力される各種の状態信号に基づき、表示部（例えば、グラフィックパネル）１３に状態表示させたり、印字部１４から印字出力させたりする。訓練装置は、このような監視制御システムに適用され、その運転員を訓練するために用いられる。
【００１５】
この訓練装置として機能させるため、入力部１５を設けている。この入力部１５は、訓練内容の登録／設定、電源基本パターンの設定、訓練問題の設定、訓練履歴の印刷指示、リプレイ操作、模範解答登録等を、演算処理装置１２に対して行う。
【００１６】
訓練内容は種々あるが、例えば、平常時の訓練としては、遮断器の入り切り操作訓練がある。また、異常発生時の訓練としては、故障の発生した系統を判断し、その結果、どの系統を切り離すかの操作訓練、停電時／復電時の操作訓練、などがある。そして、これら、各訓練に対応するシミュレーションプログラムを演算処理部１２に登録する。訓練時には、登録された各訓練内容から、訓練対象となる訓練内容を選択し設定する。
【００１７】
演算処理部１２は、前述したように、図示しないモード切換えスイッチにより通常時の監視制御運用から訓練モードに切換えられると、電力系統側との間の入出力回線を切り離して、設定された訓練内容に基く訓練動作を実行する訓練処理手段１２ａを有する。すなわち、訓練処理手段１２ａは、操作部１１からの各種指令を電力系統側に出力せずに、設定された訓練内容に対応するシミュレーションプログラムによりシミュレーションを行なう。そして、このシミュレーション結果による模擬状態信号を発生して表示部１３に状態表示させる。
【００１８】
また、演算処理部１２は、訓練モードにおける上記状態表示を、入力部１５によるリプレイ操作により、リプレイさせるリプレイ手段１２ｂを有する。すなわち、訓練モードにおいては、操作部１１からの各指令に対応してシミュレーションが行われ、その結果が状態表示されるが、操作終了後に、必要に応じて前記リプレイ手段１２ｂによりリプレイ操作を行うことで、操作を見直すことができる。
【００１９】
また、演算処理部１２は、訓練問題に対する模擬解答の登録手段１２ｃと、この模擬解答と操作記録とを併記した訓練報告書を作成する訓練報告書作成手段１２ｄとを有する。すなわち、訓練終了後には、訓練結果をレビューすることが好ましく、レビューするための比較材料として模擬解答が必要であり、これを予め登録手段１２ｃで登録しておく。このように登録しておけば、設定された訓練問題に基く操作部１１への操作記録と前記模擬解答とを併記した訓練報告書を訓練報告書作成手段１２ｄで作成し、印字部１４から出力することができる。
【００２０】
さらに、演算処理部１２は、停電模擬訓練に使用する照明模擬手段１２ｅを有する。すなわち、訓練問題として停電模擬訓練を設定した場合、照明模擬手段１２ｅにより訓練室の照明を消灯し、被常用照明を点灯させることができる。
【００２１】
上記構成において、通常時は、電力監視制御に使用している監視制御システムを、図示しないソフト的なモード切換えスイッチにより通常の運用監視モードから、技能訓練モードへと切換えることにより、現場設備（電力系統）から独立した訓練装置となる。
【００２２】
技能訓練モードに切換った後、以下の設定を行い、訓練を行う。
【００２３】
１．訓練内容の登録／設定
２．電源状態基本パターンの設定（電力系統の充電部分などを模擬的に設定する）
３．訓練問題設定
訓練終了後、以下の機能により訓練結果をレビューするが、レビューするための比較材料としての模範解答を登録しておく。
【００２４】
１．個人別訓練履歴の印刷と保存
２．リプレイ操作
３．模範解答登録
また、技能訓練に臨場感を増すために、照明模擬手段１２ｅにより訓練装置と訓練室の照明を連動させる。例えば、「訓練問題設定」において停電模擬設定を行った場合は、訓練室の照明も連動して消し、非常用照明を点灯させる。
【００２５】
このように、通常の運用監視に支障を与えることなく、且つ省スペースでの技能訓練を行うことができる。この場合、入力部１５で訓練内容の登録／設定、電源状態基本パターンの設定、訓練問題の設定を行い、訓練を開始する。訓練内容は随時追加登録可能である。操作部１１で訓練操作を行うと、随時操作内容が表示部１３に反映される。訓練操作終了後、操作内容と模範解答を併記して印字部１４により印字し、訓練結果をレビューする。必要に応じてリプレイ操作を行うことで、操作を見直す。また、「訓練問題設定」において停電模擬設定を行うと、訓練室の照明も連動して消し、非常用照明を点灯させ、臨場感を増すことができる。
【００２６】
図２は、「訓練問題設定」において停電模擬設定を行った場合の動作を示すフローチャートである。
【００２７】
図２において、先ず、操作卓（操作部）１１にて通常の運用監視モードから技能訓練モードへモード切換えスイッチを切換える（２０１）。この操作により、図１で示した装置は、現場設備から切り離され、技能訓練装置として独立する。
【００２８】
次に以下の訓練内容を設定する。
【００２９】
１．訓練内容の登録／設定（２０２）
２．電源状態基本パターンの設定（２０３）
３．訓練問題設定（２０４）
訓練内容の設定完了後、訓練を開始する。訓練内容が「停電模擬」の場合（２０５：Ｙ）は、照明模擬手段１２ｅにより、訓練開始後に訓練室の照明が消灯し（２０６）、非常用照明が点灯する（２０７）。
【００３０】
訓練操作を行うと（２０８）、表示部１３へ操作結果が反映される（２０９）。全ての操作終了後、個人訓練履歴の印字を行い操作結果及び模範解答を併記した訓練報告書を印字し（２１０）、出力する（２１２）。また、必要に応じてリプレイ（２１１）を行うことが出来る。
【００３１】
これらの結果、通常運用に支障を与えることなく且つ省スペースでの電力技能訓練を行うことが可能となる。訓練内容は種々備えているが、訓練内容を随時追加登録出来るため、実際に起こった現象を再現することが可能であり、その現象に対する模範解答の登録も随時可能であるので、訓練パターンが型にはまる事がない。さらに、個々の訓練結果に対して、訓練結果と模範解答を併記して印字する事で即座に訓練結果のレビューが可能であり、リプレイ操作を行うことで、客観的に操作を見直すことも出来る。また、「訓練問題設定」において停電模擬設定を行うと、訓練室の照明も連動して消し、非常用照明を点灯させることで、臨場感を増すことが出来る。
【図面の簡単な説明】
【００３２】
【図１】本発明による監視制御システムの訓練装置の一実施の形態を示すブロック図である。
【図２】同上一実施の形態における停電模擬設定を行った場合の動作を示すフローチャートである。
【符号の説明】
【００３３】
１１    操作部
１２    演算処理部
１３    表示部
１５    入力部
【図１】
2006133266.tif 000003
【図２】
2006133266.tif 000004